(57)【要約】      （修正有）【課題】物理的な衝撃に対する剛性信頼性を確保することができるフレキシブルディスプレイ装置及びそれを含むローラブルディスプレイ装置【解決手段】フレキシブルディスプレイ装置１０は、フレキシブル基板上に設けられた表示部を含むフレキシブルディスプレイパネル１００とフレキシブルディスプレイパネルの背面に配置されたバックカバー３００を含み、バックカバーは、複数の開口部３１２を有しながらフレキシブルディスプレイパネルを支持し、フレキシブルディスプレイパネルより広い大きさを有するパネル支持部３１０、およびパネル支持部の一側端と他側端それぞれから突出した側壁部３３０を含むことができる。【選択図】図１
2019113847.tif 000002
【特許請求の範囲】
【請求項１】
フレキシブル基板上に設けられた表示部を含むフレキシブルディスプレイパネル、および
前記フレキシブルディスプレイパネルの背面に配置されたバックカバーを含み、
前記バックカバーは、
複数の開口部を有し、前記フレキシブルディスプレイパネルを支持し、かつ、前記フレキシブルディスプレイパネルより広い大きさを有するパネル支持部、および
前記パネル支持部の一側端と他側端それぞれから突出した側壁部を含む、フレキシブルディスプレイ装置。
【請求項２】
前記側壁部の高さが、前記フレキシブルディスプレイパネルの厚さよりも大きい、請求項１に記載のフレキシブルディスプレイ装置。
【請求項３】
前記パネル支持部が、前記フレキシブルディスプレイパネルと結合した第１面、及び
前記第１面とは反対の第２面を有し、
前記側壁部は、前記パネル支持部の第２面に設けられた、請求項２に記載のフレキシブルディスプレイ装置。
【請求項４】
前記パネル支持部が、前記フレキシブルディスプレイパネルと結合した第１面、及び
前記第１面とは反対の第２面を有し、
前記側壁部は、前記パネル支持部の第１面に設けられ、前記フレキシブルディスプレイパネルの側面を包む、請求項２に記載のフレキシブルディスプレイ装置。
【請求項５】
前記パネル支持部が、前記フレキシブルディスプレイパネルと結合した第１面、及び、
前記第１面とは反対の第２面を有し、
前記側壁部は、前記パネル支持部の第１面に設けられ、前記フレキシブルディスプレイパネルの側面を包み、
前記バックカバーは、前記パネル支持部の第２面から突出した補助側壁部をさらに含む、請求項２に記載のフレキシブルディスプレイ装置。
【請求項６】
前記パネル支持部を基準に、前記補助側壁部の高さが、前記側壁部の高さよりも小さい、請求項５に記載のフレキシブルディスプレイ装置。
【請求項７】
前記側壁部と前記補助側壁部が、前記パネル支持部を間に挟んで互いに重畳するかまたは、互いに行き違う、請求項６に記載のフレキシブルディスプレイ装置。
【請求項８】
前記パネル支持部の厚さが、前記フレキシブルディスプレイパネルの厚さよりも小さい、請求項１〜請求項７のいずれか一項に記載のフレキシブルディスプレイ装置。
【請求項９】
前記フレキシブル基板の前面に付着した透光性フィルムをさらに含む、請求項１〜請求項７のいずれか一項に記載のフレキシブルディスプレイ装置。
【請求項１０】
前記透光性フィルムが、ポリエチレンテレフタレート（polyethylene terephthalate）フィルム、反射防止フィルム、偏光フィルム、および透過度制御フィルム（transmittance controllable film）のうちの少なくとも１つのフィルムである、請求項９に記載のフレキシブルディスプレイ装置。
【請求項１１】
前記バックカバーが金属材質を含む、請求項１〜請求項７のいずれか一項に記載のフレキシブルディスプレイ装置。
【請求項１２】
前記バックカバーが、前記パネル支持部と前記側壁部にコーティングするか、前記側壁部の外側面にコーティングしたコーティング層をさらに含む、請求項１１に記載のフレキシブルディスプレイ装置。
【請求項１３】
前記フレキシブルディスプレイパネルが、前記表示部を覆う保護層と、前記保護層を覆う対向基板をさらに含み、
前記バックカバーは、カバー接着部材を介して前記対向基板と結合し、
前記カバー接着部材は、前記複数の開口部それぞれの一部または全体に満たされた、請求項１〜請求項７のいずれか一項に記載のフレキシブルディスプレイ装置。
【請求項１４】
請求項１〜請求項７のいずれか一項によるフレキシブルディスプレイ装置、
前記フレキシブルディスプレイ装置を巻いたり、巻き戻したりするハウジングモジュール、
前記ハウジングモジュールに設けられ、前記フレキシブルディスプレイ装置に連結したローラー部、および
前記ハウジングモジュールに設置され、前記フレキシブルディスプレイ装置の上側と結合した少なくとも１つの折り畳みユニットの折り畳みまたは折り畳みを広げることによって前記フレキシブルディスプレイ装置を前記ローラー部に巻く（winding）または巻き戻し（unwinding）するパネルローリングモジュールを含む、ローラブルディスプレイ装置。
【請求項１５】
前記ハウジングモジュールが、前記ローラー部と、前記パネルローリングモジュールを支持し、前記フレキシブルディスプレイ装置が出入りするパネル出入口を有し、
前記パネルの出入口は、前記バックカバーに設けられた側壁部の出入りをガイドするガイドホールを有する、請求項１４に記載のローラブルディスプレイ装置。
【請求項１６】
前記パネル支持部の厚さが、前記フレキシブルディスプレイパネルの厚さよりも薄い、請求項１５に記載のローラブルディスプレイ装置。
【請求項１７】
前記バックカバーが、前記パネル支持部と前記側壁部にコーティングした、または、前記側壁部の外側面にコーティングした、コーティング層をさらに含む、請求項１５に記載のローラブルディスプレイ装置。
【請求項１８】
前記バックカバーが、カバー接着部材を介して前記フレキシブルディスプレイパネルと結合し、
前記カバー接着部材は、前記複数の開口部それぞれの一部または全体に満たされた、請求項１５に記載のローラブルディスプレイ装置。
【請求項１９】
前記フレキシブル基板の前面に付着した透光性フィルムをさらに含む、請求項１５に記載のローラブルディスプレイ装置。
【請求項２０】
前記透光性フィルムが、ポリエチレンテレフタレート（polyethylene terephthalate）フィルム、反射防止フィルム、偏光フィルム、および透過度制御フィルム（transmittance controllable film）のうちの少なくとも１つのフィルムである、請求項１９に記載のローラブルディスプレイ装置。
【発明の詳細な説明】
【技術分野】
【０００１】
本出願は、フレキシブルディスプレイ装置及びそれを含むローラブルディスプレイ装置に関するものである。
【背景技術】
【０００２】
一般的に、ディスプレイ装置は、移動通信端末、電子手帳、電子ブック、ＰＭＰ（Portable Multimedia Player）、ナビゲーション、ＵＭＰＣ（UltraMobile PC）、携帯電話、スマートフォン、タブレットＰＣ（Personal Computer）およびウォッチフォン（watch phone）などの携帯用電子機器だけでなく、テレビ、ノートパソコンおよびモニタなどの様々な製品の表示画面として広く使用されている。
【０００３】
ディスプレイ装置の中で有機発光表示装置と電気泳動表示装置は、薄型化が可能なので、これらをフレキシブルディスプレイ装置に実装するための研究開発が進められている。特に、最近はフレキシブルディスプレイパネルを巻物のように巻くことができるローラブルディスプレイ装置の研究開発が活発に行われている。
【０００４】
従来のローラブルディスプレイ装置は、フレキシブルディスプレイパネルの背面にバックカバーを取付けることによりフレキシブルディスプレイパネルの剛性信頼性を確保する。
【０００５】
しかし、従来のローラブルディスプレイ装置は、フレキシブルディスプレイパネルの側面に加わる外部からの物理的な衝撃によって容易に損傷したり、破損する問題点がある。また、従来のローラブルディスプレイ装置は、フレキシブルディスプレイパネルのローリング時、バックカバーとフレキシブルディスプレイパネル間の物理的な接触および／またはバックカバーとフレキシブルディスプレイパネル間に異物が侵入することによりフレキシブルディスプレイパネルに傷などが発生して、異物によるクラック発生およびクラックが伝播するという問題点がある。また、従来のローラブルディスプレイ装置は、フレキシブルディスプレイパネルがローラー部に巻かれたときに両側（または左右）間のずれが発生した場合、フレキシブルディスプレイパネルの中央部にシワができて損傷したり、破損する問題点がある。
【０００６】
以上説明した背景技術の内容は、本出願の発明者が本出願の導出のために保有していたかまたは、本出願の導出過程で習得した技術情報であって、必ずしも本出願の出願前に一般公衆に公開された公知技術とすることはできない。
【発明の概要】
【発明が解決しようとする課題】
【０００７】
本出願は、物理的な衝撃に対する剛性信頼性を確保することができるフレキシブルディスプレイ装置及びそれを含むローラブルディスプレイ装置を提供することを技術的課題とする。
【課題を解決するための手段】
【０００８】
本出願によるフレキシブルディスプレイ装置は、フレキシブル基板上に設けられた表示部を含むフレキシブルディスプレイパネルとフレキシブルディスプレイパネルの背面に配置されたバックカバーを含み、バックカバーは、複数の開口部を有してフレキシブルディスプレイパネルを支持し、フレキシブルディスプレイパネルより広いサイズを有するパネル支持部、およびパネル支持部の一側端と他側端それぞれから突出した側壁部を含むことができる。
【０００９】
本出願によるローラブルディスプレイ装置は、フレキシブルディスプレイ装置、フレキシブルディスプレイ装置を巻いたり、巻き戻したりするハウジングモジュール、ハウジングモジュールに設置されてフレキシブルディスプレイ装置に連結したローラー部、およびハウジングモジュールに設置されて前記フレキシブルディスプレイ装置の上側と結合した少なくとも１つの折り畳みユニットの折り畳みまたは折り畳みを広げることによってフレキシブルディスプレイ装置をローラー部に巻く（winding）または巻きを戻す（unwinding）パネルローリングモジュールを含み、フレキシブルディスプレイ装置は、フレキシブル基板上に設けられた表示部を含むフレキシブルディスプレイパネルとフレキシブルディスプレイパネルの背面に配置されたバックカバーを含み、バックカバーは、複数の開口部を有してフレキシブルディスプレイパネルを支持し、フレキシブルディスプレイパネルより広い大きさを有するパネル支持部、およびパネル支持部の一側端と他側端それぞれから突出した側壁部を含むことができる。
【発明の効果】
【００１０】
本出願の一例は、物理的な衝撃に対するフレキシブルディスプレイパネルの剛性信頼性を確保することができる。
【００１１】
本出願の一例は、フレキシブルディスプレイパネルの側面に加わる物理的な外部衝撃によるフレキシブルディスプレイパネルの側面の損傷や破損を防止することができる。
【００１２】
また、本出願の一例は、フレキシブルディスプレイパネルのローリング時、バックカバーとフレキシブルディスプレイパネル間の物理的な接触および/またはバックカバーとフレキシブルディスプレイパネル間に異物が侵入することによるフレキシブルディスプレイパネルの損傷や破損を防止することがことができる。
【００１３】
また、本出願の一例は、フレキシブルディスプレイパネルがローラー部に巻かれる時、両側（または左右）間のずれに起因するフレキシブルディスプレイパネルの損傷や破損を防止することができる。
【００１４】
前述の本出願の効果に加えて、本出願の他の特徴および利点は、以下の記述およびそのような記述や説明から、本出願が属する技術分野で通常の知識を有する者に明確に理解され得るであろう。
【図面の簡単な説明】
【００１５】
【図１】本出願の第１例に係るフレキシブルディスプレイ装置を示す図である。
【図２】図１に示した線Ｉ−Ｉ’の断面図である。
【図３】図１と図２に示したバックカバーを示す図である。
【図４】図１〜図３に示したバックカバーに設けられるコーティング層を示す断面図である。
【図５】本出願の第２例に係るフレキシブルディスプレイ装置を示す図である。
【図６】図５に示した線ＩＩ−ＩＩ’の断面図である。
【図７】図５と図６に示したバックカバーを示す図である。
【図８】本出願の第３例に係るフレキシブルディスプレイ装置を示す図である。
【図９】図８に示した線ＩＩＩ−ＩＩＩ’の断面図である。
【図１０】図８と図９に示したバックカバーを示す図である。
【図１１】本出願の第４例に係るフレキシブルディスプレイ装置を示す図である。
【図１２】図１１に示した線ＩＶ−ＩＶ’の断面図である。
【図１３】本出願の一例によるローラブルディスプレイ装置を示す図である。
【図１４】本出願の一例によるローラブルディスプレイ装置の分解斜視図である。
【図１５】図１３に示した線Ｖ−Ｖ’の断面図である。
【図１６】本出願の第１例に係るフレキシブルディスプレイ装置を含むローラブルディスプレイ装置で、ローラーに巻かれたフレキシブルディスプレイ装置を概略的に示す断面図である。
【図１７】本出願の第２例に係るフレキシブルディスプレイ装置を含むローラブルディスプレイ装置で、ローラーに巻かれたフレキシブルディスプレイ装置を概略的に示す断面図である。
【図１８】本出願の第３例に係るフレキシブルディスプレイ装置を含むローラブルディスプレイ装置で、ローラーに巻かれたフレキシブルディスプレイ装置を概略的に示す断面図である。
【図１９】本出願の第４例に係るフレキシブルディスプレイ装置を含むローラブルディスプレイ装置で、ローラーに巻かれたフレキシブルディスプレイ装置を概略的に示す断面図である。
【発明を実施するための形態】
【００１６】
本出願の利点と特徴、そしてそれらを達成する方法は添付の図と共に詳細に後述する一例を参照すれば明確になるだろう。しかし、本出願は、以下で開示する一例に限定されるものではなく、異なる多様な形態で具現されるものであり、単に本出願の一例は、本出願の開示が完全になるようにし、本出願の発明が属する技術分野で通常の知識を有する者に発明の範疇を完全に知らしめるために提供するものであり、本出願の発明は、請求項の範疇によって定義されるだけである。
【００１７】
本出願の一例を説明するために図で開示した形状、大きさ、比率、角度、数などは例示的なものなので、本出願は、図に示した事項に限定されるものではない。明細書全体にわたって同一参照符号は同一の構成要素を指すことができる。また、本出願を説明するにおいて、関連する公知技術に対する詳細な説明が本出願の要旨を不必要に曖昧にすると判断される場合、その詳細な説明は省略する。
【００１８】
本明細書で言及した「含む」、「有する」、「からなる」などが使用されている場合は、「〜だけ」が使用されていない限り、他の部分が追加され得る。構成要素を単数で表現する場合に、特に明示的な記載事項がない限り、複数が含まれる場合を含む。
【００１９】
構成要素を解釈するに当たり、別途の明示的な記載がなくても誤差の範囲を含むものと解釈する。
【００２０】
位置関係の説明である場合には、例えば、「〜上に」、「〜の上部に」、「〜の下部に」、「〜の隣に」など2つの部分の位置関係が説明されている場合は、「すぐに」または「直接」が使用されていない以上、二つの部分の間に1つ以上の他の部分が位置することもできる。
【００２１】
時間の関係に対する説明である場合には、例えば、「〜の後」、「〜に続いて」、「〜次に」、「〜前に」などで時間的前後関係が説明されている場合は、「すぐに」または「直接」が使用されていない以上、連続していない場合も含むことができる。
【００２２】
第１、第２などが多様な構成要素を記述するために使用されるが、このような構成要素はこのような用語によって制限されない。このような用語は、ただ一つの構成要素を他の構成要素と区別するために使用されるものである。したがって、以下に記載されている第１構成要素は、本出願の技術的思想内で第２構成要素であることもある。
【００２３】
「少なくとも１つ」の用語は、１つ以上の関連項目から提示可能なすべての組み合わせを含むものと理解されなければならない。たとえば、「第１項目、第２項目及び第３項目のうち少なくとも１つ」の意味は、第１項目、第２項目または第３項目のそれぞれのみならず、第１項目、第２項目及び第３項目の中で２つ以上から提示することができるすべての項目の組み合わせを意味する。
【００２４】
本出願のいくつかの例のそれぞれの特徴が部分的または全体的に互いに結合または組み合わせ可能で、技術的に様々な連動と駆動が可能であり、それぞれの例が互いに独立して実施可能であり得、関連の関係で一緒に実施することもできる。
【００２５】
以下では、本出願によるフレキシブルディスプレイ装置及びそれを含むローラブルディスプレイ装置の例を添付の図を参照して詳細に説明する。各図の構成要素に参照符号を付加するにおいて、同一の構成要素に対しては、たとえ他の図上に表示されていても、可能な限り同一の符号を有することができる。また、本出願の例を説明するにあたり、関連した公知の構成または機能に対する具体的な説明が本出願の要旨を曖昧にし得ると判断される場合には、その詳細な説明は省略することができる。
【００２６】
図１は、本出願の第1例によるフレキシブルディスプレイ装置を示す図であり、図２は、図１に示した線Ｉ−Ｉ’の断面図であり、図３は、図１と図２に示したバックカバーを示す図である。
【００２７】
図１〜図３を参照すると、本出願の第１例によるフレキシブルディスプレイ装置１０は、フレキシブルディスプレイパネル１００およびバックカバー３００を含むことができる。
【００２８】
前記フレキシブルディスプレイパネル１００は、第１基板１１０、表示部１３０、保護層１４０、及び第２基板１６０を含むことができる。
【００２９】
前記第１基板１１０はベース基板であり、フレキシブル基板である。例えば、第１基板１１０は、透明ポリイミド（polyimide）材質を含むことができる。ポリイミド材質の第１基板１１０は、キャリアガラス基板に設けられているリリース層の前面に一定の厚さでコーティングされたポリイミド樹脂が硬化したものであり得る。キャリアガラス基板は、レーザーリリース工程を用いたリリース層をリリースすることにより、第１基板１１０から分離される。
【００３０】
第１基板１１０は、表示領域および非表示領域を含むことができる。前記表示領域は、画像が表示される表示領域であって、第１基板１１０の中央部分に定義することができる。前記非表示領域は、画像が表示されない領域であって、表示領域を囲むよう第１基板１１０の端部に定義することができる。
【００３１】
第１基板１１０の第１面には、バッファ膜１２０を形成することができる。バッファ膜１２０は、第１基板１１０を介して表示領域に浸透する水分を遮断するために、第１基板１１０の第１面全体に形成する。一例によるバッファ膜１２０は、交互に積層した複数の無機膜からなり得る。たとえば、バッファ膜１２０は、シリコン酸化膜（ＳｉＯｘ）、シリコン窒化膜（ＳｉＮｘ）、およびシリコン酸窒化膜（ＳｉＯＮ）のいずれかまたは複数の無機膜が交互に積層した多重膜で形成することができる。バッファ膜１２０は省略することができる。
【００３２】
前記表示部１３０は、第１基板１１０の表示領域上に配置された画素アレイ層を含む。つまり、表示部１３０は、第１基板１１０に定義された表示領域と重畳する第１基板１１０の第１面またはバッファ膜１２０上に形成される。
【００３３】
前記画素アレイ層は、ゲートライン、データライン、駆動電源ライン、画素駆動回路及び発光素子層を含むことができる。
【００３４】
前記ゲートラインと前記データラインは、互いに交差するように第１基板１１０上に配置することができる。前記駆動電源ラインは、データラインまたはゲートラインと並んで第１基板１１０上に配置することができる。
【００３５】
前記画素駆動回路は、ゲートラインとデータラインの交差によって定義される画素領域に設けられるもので、少なくとも２つの薄膜トランジスターと少なくとも１つのコンデンサを含むことができる。このような画素駆動回路は、隣接するゲートラインから供給されるゲート信号、隣接した駆動電源ラインから供給される駆動電源、およびデータラインから供給されるデータ信号によって発光素子層を発光させる。
【００３６】
前記発光素子層は、その画素の画素駆動回路から供給されるデータ信号によって発光する。発光素子層から放出される光は、第１基板１１０を通過して外部に抽出される。このような発光素子層は、該当画素の画素駆動回路に接続した第１電極、第１電極上に形成された発光層、および発光層上に形成された第２電極を含むことができる。
【００３７】
第１電極は、画素に個別にパターニングされたアノード電極であり得る。第１電極は、光を透過させることができるＩＴＯ、ＩＺＯのような透明な金属物質で形成される。
【００３８】
一例による発光層は、画素に設定された色に対応する光を放出する赤色発光層、緑色発光層、及び青色発光層を含むことができる。
【００３９】
他の例に係る発光層は、画素に共通して形成される共通層であり得、この場合、製造工程を簡略化することができる。発光層は、有機発光層、無機発光層、及び量子ドット発光層のいずれか一つを含むか、有機発光層（または無機発光層）と量子ドット発光層の積層または混合構造を含むことができる。このような発光層は、白色光を放出するための２以上の発光部を含む。例えば、発光層は、第１光と第２光の混合により白色光を放出するための第１発光部と第２発光部を含むことができる。ここで、第１発光部は、第１光を放出するもので、青色発光部、緑色発光部、赤色発光部、黄色発光部、および黄緑色発光部のいずれかを含むことができる。第２発光部は、青色発光部、緑色発光部、赤色発光部、黄色発光部、及び黄緑色発光部の中で第１光と補色関係を有する光を放出する発光部を含むことができる。
【００４０】
前記発光層が共通層で形成される場合には、表示部１３０は、第１基板１１０と発光素子層の間に設けられた波長変換層を含む。一例による波長変換層は、各画素の発光素子層から入射する白色光のうち画素に設定された色相の波長だけを透過させるカラーフィルターを含む。例えば、波長変換層は、赤色、緑色、または青色の波長だけを透過させることができる。
【００４１】
他の例に係る波長変換層は、各画素の発光素子層から入射する白色光によって再発光して画素に設定された色相の光を放出する大きさを有する量子ドットを含むことができる。ここで、量子ドットは、ＣｄＳ、ＣｄＳｅ、ＣｄＴｅ、ＣｄＺｎＳｅＳ、ＺｎＳ、ＺｎＳｅ、ＧａＡｓ、ＧａＰ、ＧａＡｓ−Ｐ、Ｇａ−Ｓｂ、ＩｎＡｓ、ＩｎＰ、ＩｎＳｂ、ＡｌＡｓ、ＡｌＰ、またはＡｌＳｂなどから選択することができる。例えば、前記のＣｄＳｅまたはＩｎＰの量子ドットは、赤色光を放出することができ、ＣｄＺｎＳｅＳの量子ドットは、緑色光を放射することができ、ＺｎＳｅの量子ドットは、青色光を放出することができる。このように、波長変換層が量子ドットを含む場合には、色再現率が高くなり得る。
【００４２】
また他の例による波長変換層は、量子ドットを含有するカラーフィルターからなり得る。
【００４３】
第２電極は、カソード電極として画素に共通して形成される共通層であり得る。第２電極は、反射率の高い金属物質を含むことができる。例えば、第２電極は、アルミニウム（Ａｌ）、チタン（Ｔｉ）の積層構造（Ｔｉ/Ａｌ/Ｔｉ）、アルミニウム（Ａｌ）とＩＴＯの積層構造（ＩＴＯ/Ａｌ/ＩＴＯ）、ＡＰＣ（Ａｇ/Ｐｄ/Ｃｕ）合金、及びＡＰＣ合金とＩＴＯの積層構造（ＩＴＯ/ＡＰＣ/ＩＴＯ）のような多層構造で形成したり、銀（Ａｇ）、アルミニウム（Ａｌ）、モリブデン（Ｍｏ）、金（Ａｕ）、マグネシウム（Ｍｇ）、カルシウム（Ｃａ）、またはバリウム（Ｂａ）の中から選択されたいずれかの物質または２以上の合金材料からなる単層構造を含むことができる。
【００４４】
本出願の第１例による画素は、表示領域上にストライプ（stripe）構造で形成することができる。ここで、一つの単位画素は赤色画素、緑色画素、および青色画素を含むことができ、さらに白色画素を含むことができる。
【００４５】
本出願の他の例に係る画素は、表示領域上にペンタイル（pentile）構造で形成することができる。ここで、一つの単位画素は、平面的に多角形態に配置された１つの赤色画素、２つの緑色画素、および１つの青色画素を含むことができる。例えば、ペンタイルの構造を有する単位画素は、１つの赤色画素、２つの緑色画素、および１つの青色画素を平面的に八角形を有するように配置することができ、この場合、青色画素が最大のサイズを有し緑色画素が最も小さいサイズを有することができる。
【００４６】
前記保護層１４０は、表示部１３０を囲むように、第１基板１１０上に形成される。保護層１４０は、発光素子層に酸素または水分が浸透することを防止する役割をする。一例による保護層１４０は、少なくとも１つの無機膜を含むことができる。無機膜は、シリコン窒化物、窒化アルミニウム、ジルコニウム窒化物、チタン窒化物、ハフニウム窒化物、タンタル窒化物、シリコン酸化物、アルミニウム酸化物、または酸化チタンで形成することができる。選択的に、保護層１４０は、少なくとも１つの有機膜をさらに含むことができる。有機膜は、異物（particles）が保護層１４０を突き抜けて発光素子層に浸透することを防止するために十分な厚さで形成することができる。このような保護層１４０は、封止層と表現することもできる。
【００４７】
前記第２基板１６０は、保護層１４０上に配置されるもので、保護層１４０に隣接した第１面、及び第１面とは反対の第２面とを有する。第２基板１６０の第１面は、保護層１４０に付着する。第２基板１６０は、対向基板または封止基板と表現することができる。このような第２基板１６０は、酸素または水分が発光素子層に浸透することを一次的に遮断する役割をする。一例による第２基板１６０は、酸素または水分の浸透を防止しながらフレキシブルディスプレイパネル１００を曲げることができるよう、１００マイクロメートル以下の厚さを有することができる。
【００４８】
一例による第２基板１６０は、不透明なメタル材質からなるメタルホイル、メタルシート、またはメタルプレートであり得る。例えば、第２基板１６０は、熱膨張係数が低い鉄（Ｆｅ）とニッケル（Ｎｉ）の合金材料からなり得るが、これに限定されない。
【００４９】
第２基板１６０の第１面は、接着層１５０を媒介にして、保護層１４０に付着することができる。一例による接着層１５０は、熱硬化型または自然硬化型の接着剤であり得る。例えば、接着層１５０は、減圧接着剤または吸湿機能を有するバリア減圧接着剤のような物質からなり得る。
【００５０】
本出願の第１例によるフレキシブルディスプレイ装置は、フレキシブルディスプレイパネル１００の第１基板１１０に付着した透光性フィルム１７０をさらに含むことができる。
【００５１】
前記透光性フィルム１７０は、透明接着層を媒介にして、第１基板１１０の第１面と反対の第２面に付着することでフレキシブルディスプレイパネル１００の光出射面を保護しながら、フレキシブルディスプレイパネル１００の前面の剛性を増加させる。一例による透光性フィルム１７０は、フレキシブルフィルムからなり得、例えば、ポリエチレンテレフタレート（polyethylene terephthalate）フィルム、反射防止フィルム、偏光フィルム、および透過度制御フィルム（transmittance controllable film）のうちの少なくとも１つのフィルムであり得る。このような透光性フィルム１７０は、キャリアガラス基板から分離された第１基板１１０の第２面に付着することができる。前記透明接着層は、ＯＣＡ（Optically Clear Adhesive）、ＯＣＲ（OpticallyClear Resin）、またはＰＳＡ（Pressure Sensitive Adhesive）であり得る。
【００５２】
本出願の第１例によるフレキシブルディスプレイ装置は、使用者のタッチを利用したユーザーインターフェースのためのタッチパネルをさらに含むことができる。タッチパネルは、第１基板１１０と透光性フィルム１７０間に介在したりインセルタッチ（in-cell touch）方式によって画素アレイ部の形成工程とともにフレキシブルディスプレイパネル１００に内蔵することができる。
【００５３】
本出願の第１例によるフレキシブルディスプレイ装置は、ゲート駆動回路およびディスプレイ駆動回路部２００をさらに含む。
【００５４】
前記ゲート駆動回路は、第１基板１１０の非表示領域に設けられる。ゲート駆動回路は、ディスプレイ駆動回路部２００から提供されるゲート制御信号によってゲート信号を生成し、設定された順序に該当するゲートラインに供給する。一例によるゲート駆動回路は、薄膜トランジスタとともに、第１基板１１０の非表示領域に形成することができる。例えば、ゲート駆動回路は、第１基板１１０の第１非表示領域及び第２非表示領域のうち少なくとも１つの領域に配置することができる。
【００５５】
前記ディスプレイ駆動回路部２００は、第１基板１１０の第３非表示領域に設けられたパッド部に接続して、ディスプレイ駆動システム（またはホストシステム）から供給される映像データに対応する映像を各画素に表示する。一例によるディスプレイ駆動回路部２００は、複数の軟性回路フィルム２１０、複数のデータ駆動集積回路２３０、プリント回路基板２５０、およびタイミング制御部２７０を含む。
【００５６】
前記複数の軟性回路フィルム２１０それぞれの一側に設けられた入力端子は、フィルム貼付工程によりプリント回路基板２５０に付着され、複数の軟性回路フィルム２１０それぞれの他側に設けられた出力端子は、フィルム貼付工程により、第１基板１１０に設けられたパッド部に付着する。
【００５７】
前記複数のデータ駆動集積回路２３０のそれぞれは、複数の軟性回路フィルム２１０それぞれに個別に実装される。このような複数のデータ駆動集積回路２３０それぞれは、タイミング制御部２７０から提供される画素データとデータ制御信号を受信し、データ制御信号によって画素データをアナログ形式の画素別データ信号に変換して、該当するデータラインに供給する。
【００５８】
前記複数の駆動集積回路２３０のそれぞれは、タッチパネルに接続して、タッチセンサーの静電容量の変化をセンシングして、タッチローデータを生成し、生成されたタッチローデータを駆動システムに提供することができる。
【００５９】
前記プリント回路基板２５０は、タイミング制御部２７０を支持し、ディスプレイ駆動回路部２００の構成間の信号および電源を提供する役割をする。このようなプリント回路基板２５０は、フレキシブルディスプレイパネル１００と駆動集積回路２３０とタイミング制御部２７０の駆動に必要な電圧を生成するために使用される受動素子および／または集積回路などを含むことができる。ここで、受動素子は抵抗、コンデンサ、およびインダクタのうちの少なくとも１つまたはこれらの組み合わせを含むことができる。集積回路は、論理回路、電源生成回路、またはクロック生成回路などを含むことができる。
【００６０】
前記タイミング制御部２７０は、プリント回路基板２５０に実装され、プリント回路基板２５０に設けられたユーザーコネクタを通じてディスプレイ駆動システムから提供される映像データとタイミング同期信号を受信する。タイミング制御部２７０は、タイミング同期信号に基づいて映像データを表示部１３０の画素配置構造に適合するように整列して画素データを生成し、生成された画素データを対応するデータ駆動集積回路２３０に提供する。また、タイミング制御部２７０は、タイミング同期信号に基づいて、データ制御信号とゲート制御信号のそれぞれを生成し、データ制御信号を介して複数のデータ駆動集積回路２３０それぞれの駆動タイミングを制御し、ゲート制御信号を介して、ゲート駆動回路の駆動タイミングを制御する。ここで、ゲート制御信号は、複数の軟性回路フィルム２１０のうちの最初のまたは／および最終軟性回路フィルムと、第１基板１１０の非表示領域を通じて、該当するゲート駆動回路に供給することができる。
【００６１】
前記バックカバー３００は、フレキシブルディスプレイパネル１００の背面に配置される。すなわち、前記バックカバー３００は、カバー接着部材１８０を媒介にしてフレキシブルディスプレイパネル１００の第２基板１６０と結合することができる。このようなバックカバー３００は、フレキシブルディスプレイパネル１００の背面を支持し、外部の物理的な衝撃からフレキシブルディスプレイパネル１００の背面剛性と側面剛性を増加させる。例えば、バックカバー３００は、アルミニウム（Ａｌ）材質、マグネシウム（Ｍｇ）材質、アルミニウム（Ａｌ）合金材質、マグネシウム（Ｍｇ）合金材質、およびマグネシウムリチウム（Ｌｉ）合金材質のいずれか一つの材質からなり得る。
【００６２】
第１例に係るバックカバー３００は、パネル支持部３１０および側壁部３３０を含むことができる。
【００６３】
前記パネル支持部３１０は、複数の開口部３１２を有し、フレキシブルディスプレイパネル１００を支持する。パネル支持部３１０は、フレキシブルディスプレイパネル１００と結合した第１面３００ａ（または前面）、及び第１面３００ａとは反対の第２面３００ｂ（または背面）を含むことができる。
【００６４】
一例によるパネル支持部３１０の大きさは、フレキシブルディスプレイパネル１００よりも広い大きさを有する。つまり、フレキシブルディスプレイパネル１００の長辺の長さ方向と平行な第１方向（Ｘ）を基準に、パネル支持部３１０の第１幅（Ｗ１）は、フレキシブルディスプレイパネル１００の第２幅（Ｗ２）より広いことがあり得る。例えば、パネル支持部３１０の長辺の長さ（Ｌ１）は、フレキシブルディスプレイパネル１００の長編の長さ（Ｌ２）よりも長いことがあり得る。
【００６５】
一例によるパネル支持部３１０の厚さ（Ｔ１）は、フレキシブルディスプレイパネル１００の厚さ（Ｔ２）より薄いことがあり得る。例えば、フレキシブルディスプレイパネル１００は、曲げたり巻物のように巻くことができるように２００〜３００マイクロメートルの厚さ（Ｔ２）を有することができ、パネル支持部３１０は、フレキシブルディスプレイパネル１００のたわみを保障しながらフレキシブルディスプレイパネル１００の剛性を増加させるために、１５０〜２５０マイクロメートルの厚さ（Ｔ１）を有することができる。そして、本出願の第1例によるフレキシブルディスプレイ装置の全体の厚さは約３５０〜６００マイクロメートルであり得るが、必ずしもこれに限定されず、変形することができる。
【００６６】
前記複数の開口部３１２のそれぞれは、パネル支持部３１０の厚さ方向と平行な垂直方向（Ｚ）に沿ってパネル支持部３１０の第１面３００ａと第２面３００ｂを垂直に貫通して形成される。たとえば、複数の開口部３１２のそれぞれは、平面的に長方形または楕円形などの多様な形態を有することができる。このような複数の開口部３１２を有するパネル支持部３１０は、メッシュプレート（mesh plate）または多孔性プレートと表現することもできる。たとえば、複数の開口部３１２のそれぞれは、エッチング工程を利用した金属板のパターニング工程によって形成することができる。
【００６７】
一例による複数の開口部３１２のそれぞれは、第１方向（Ｘ）に沿って一定の間隔を有するように互いに離隔し、第１方向（Ｘ）と交差する第２方向（Ｙ）に沿って一定の間隔を有するように互いに離隔することができる。ここで、第２方向（Ｙ）に沿って配置された複数の開口部３１２のそれぞれは、互いに並んで配置したり、またはジグザグ形態で配置することができる。この場合には、第１方向（Ｘ）と平行な複数の列中の偶数番目の列に配置された開口部３１２の中心部は、奇数番目の列に配置された開口部３１２間に配置することができる。このような複数の開口部３１２のそれぞれは、バックカバー３００の重量を減らし、異物を収容することにより、異物がフレキシブルディスプレイパネル１００に突き刺さることを防止し、これにより、異物の突き刺さりによってフレキシブルディスプレイパネル１００にクラックが発生することを防止する。また、複数の開口部３１２のそれぞれは、フレキシブルディスプレイパネル１００を曲げたり、巻物のように巻かれることよって弾性圧縮（収縮または膨張）されることにより、フレキシブルディスプレイパネル１００を巻く（またはロールリングする）時、フレキシブルディスプレイパネル１００のスリップ（slip）現象を防止しながらフレキシブルディスプレイパネル１００に加わる圧縮ストレスと引張ストレスを含む曲げストレスを最小限に抑え、曲げストレスによるフレキシブルディスプレイパネル１００の損傷や破損を防止する。
【００６８】
一例によるパネル支持部３１０は、カバー接着部材１８０を介してフレキシブルディスプレイパネル１００の第２基板１６０と結合することができる。
【００６９】
前記カバー接着部材１８０は、バックカバー３００のパネル支持部３１０とフレキシブルディスプレイパネル１００の第２基板１６０間に介在して、バックカバー３００とフレキシブルディスプレイパネル１００を物理的に結合させる。一例によるカバー接着部材１８０は、ＯＣＡ（Optically Clear Adhesive）、ＯＣＲ（OpticallyClear Resin）、またはＰＳＡ（Pressure Sensitive Adhesive）であり得る。例えば、カバー接着部材１８０は、３０〜７０マイクロメートルの厚さを有するようにフレキシブルディスプレイパネル１００の第２基板１６０に付着した後、バックカバー３００のパネル支持部３１０に付着することができる。このようなカバー接着部材１８０は、複数の開口部３１２のそれぞれの一部または全体に満たすことができる。
【００７０】
一例として、カバー接着部材１８０は、バックカバー３００とフレキシブルディスプレイパネル１００間のラミネート工程時フレキシブルディスプレイパネル１００の第２基板１６０に隣接する複数の開口部３１２それぞれの下部にのみ染みこませて複数の開口部３１２それぞれの半分以下に充填することができる。この場合には、バックカバー３００とフレキシブルディスプレイパネル１００間の接着面積が増加し、これにより、フレキシブルディスプレイパネル１００のそりによる複数の開口部３１２に加わる曲げ応力を吸収することができる。
【００７１】
別の例として、カバー接着部材１８０は、バックカバー３００とフレキシブルディスプレイパネル１００間のラミネート工程時、複数の開口部３１２それぞれに浸み込ませて複数の開口部３１２それぞれの全体に充填することができる。この場合、バックカバー３００とフレキシブルディスプレイパネル１００間の接着面積が増加し、それにより、バックカバー３００とフレキシブルディスプレイパネル１００間の剥離現象が防止され得る。
【００７２】
前記側壁部３３０は、パネル支持部３１０の一側端（ＥＡ１）と他側端（ＥＡ２）それぞれから突出している。つまり、側壁部３３０は、パネル支持部３１０の第２面３００ｂのうちの一側端（ＥＡ１）と他側端（ＥＡ２）それぞれから突出している。ここで、一例による側壁部３３０は、第２方向（Ｙ）に沿って長く延長した実線形態またはライン形態を有するようにパネル支持部３１０の一側端（ＥＡ１）と他側端（ＥＡ２）それぞれから突出することができる。他の例に係る側壁部３３０は、第２方向（Ｙ）に沿って一定の長さと間隔を有する点線形態を有するようにパネル支持部３１０の一側端（ＥＡ１）と他側端（ＥＡ２）それぞれから突出することがことができ、この場合、バックカバー３００の重量が減少し得る。
【００７３】
前記パネル支持部３１０の一側端（ＥＡ１）に設けられた側壁部３３０とパネル支持部３１０の他側端（ＥＡ２）に設けられた側壁部３３０間の距離（Ｌ３）は、フレキシブルディスプレイパネル１００の第２幅（Ｗ２）またはフレキシブルディスプレイパネル１００の長辺の長さ（Ｌ２）よりも長いことがあり得る。このような側壁部３３０は、フレキシブルディスプレイパネル１００のローリング時にパネル支持部３１０の第１面３００ａに配置されるフレキシブルディスプレイパネル１００の側面から離間することで、フレキシブルディスプレイパネル１００のローリングを円滑にすることができる。
【００７４】
一例による側壁部３３０の高さ（Ｈ１）は、フレキシブルディスプレイパネル１００の厚さ（Ｔ２）よりも高く設定する。これにより、側壁部３３０は、フレキシブルディスプレイパネル１００が巻物のように巻かれる時、フレキシブルディスプレイパネル１００の前面（または表示面）とバックカバー３００の背面（または支持部の背面）間の接触を防止することにより、フレキシブルディスプレイパネル１００の前面またはバックカバー３００の背面に異物が存在しても、異物によってフレキシブルディスプレイパネル１００が突かれることを防止することができる。また、側壁部３３０は、フレキシブルディスプレイパネル１００が巻物のように巻かれる時、フレキシブルディスプレイパネル１００のローリングをガイドしてフレキシブルディスプレイパネル１００の両側（または左右）のローリング偏差を最小化することにより、フレキシブルディスプレイパネル１００の両側（または左右）のローリング偏差によるフレキシブルディスプレイパネル１００の中央部にシワが寄ることを防止することができる。また、側壁部３３０は、フレキシブルディスプレイパネル１００の側面よりも外側に突出することにより、外部の物理的な衝撃からフレキシブルディスプレイパネル１００の側面を保護して、外部からの物理的な衝撃によるフレキシブルディスプレイパネル１００の損傷を防止する。
【００７５】
さらに、本出願の第1例によるバックカバー３００は、図４に示すように、側壁部３３０の外側面にコーティングされたコーティング層３５０をさらに含むことができる。
【００７６】
前記コーティング層３５０は、側壁部３３０の外側面に一定の厚さを有するようにコーティングする。このようなコーティング層３５０は、側壁部３３０に加わる外部からの物理的な衝撃を吸収することにより、側壁部３３０に加わる外部からの物理的な衝撃を緩和する。一例によるコーティング層３５０は、シリコンゴム、熱可塑性ポリウレタンおよび透明ゲルの中の１種以上の材質を含むことができる。
【００７７】
前記コーティング層３５０は、バックカバー３００全体にコーティングすることもできる。つまり、コーティング層３５０は、パネル支持部３１０の第１面３００ａと第２面３００ｂ、および側壁部３３０の各側面すべてに一定の厚さでコーティングすることもできる。
【００７８】
このような本出願の第１例によるフレキシブルディスプレイ装置１０は、複数の開口部３１２と側壁部３３０を有するバックカバー３００をフレキシブルディスプレイパネル１００の背面に配置することで、フレキシブルディスプレイパネル１００の背面剛性を増加することができ、バックカバー３００の側壁部３３０によってフレキシブルディスプレイパネル１００の側面の剛性が増加し得、バックカバー３００の開口部３１２による弾性圧縮によってフレキシブルディスプレイパネル１００のローリング時のフレキシブルディスプレイパネル１００のスリップ現象を防止し、フレキシブルディスプレイパネル１００に加わる曲げストレスを最小化することができる。
【００７９】
図５は、本出願の第２例に係るフレキシブルディスプレイ装置を示す図であり、図６は、図５に示した線ＩＩ−ＩＩ’の断面図であり、図７は、図５と図６に示したバックカバーを示す図であり、これは、図１〜図４に示した本出願の第１例によるフレキシブルディスプレイ装置においてバックカバーの構造を変更したものである。よって、以下の説明では、バックカバーについてのみ説明することにし、残りの同じ構成に対する重複説明は省略することにする。
【００８０】
図５〜図７を参照すると、本出願の第２例に係るフレキシブルディスプレイ装置２０のバックカバー３００は、パネル支持部３１０と側壁部３３０を含むことができる。
【００８１】
前記パネル支持部３１０は、カバー接着部材１８０を媒介にしてフレキシブルディスプレイパネル１００の第２基板１６０と結合するものであり、これは、図１〜図４に示したバックカバーの支持部と同じなので、これに対する重複説明は省略することにする。
【００８２】
前記側壁部３３０は、フレキシブルディスプレイパネル１００の側面（または短辺）を覆うようにパネル支持部３１０の一側端（ＥＡ１）と他側端（ＥＡ２）それぞれから突出する。
【００８３】
本例による側壁部３３０は、フレキシブルディスプレイパネル１００の厚さ（Ｔ２）よりも厚い高さ（Ｈ２）を有するようにパネル支持部３１０の第１面３００ａのうち一側端（ＥＡ１）と他側端（ＥＡ２）それぞれから突出することを除いて、これは、図１〜図４に示したバックカバーの側壁部と同様であるため、これに対する重複説明は省略することにする。
【００８４】
さらに、本出願の第２例に係るバックカバー３００は、図４に示すように、側壁部３３０の外側面にコーティングされたコーティング層３５０をさらに含むことができる。
【００８５】
このように、本出願の第２例に係るフレキシブルディスプレイ装置２０は、本出願の第１例によるフレキシブルディスプレイ装置と実質的に同じ効果を有することができ、特にバックカバー３００の側壁部３３０によりフレキシブルディスプレイパネル１００の側面（または短辺）を囲むことにより、外部からの物理的な衝撃によるフレキシブルディスプレイパネル１００の側面の損傷をさらに防止することができる。
【００８６】
図８は、本出願の第３例に係るフレキシブルディスプレイ装置を示す図であり、図９は、図８に示した線ＩＩＩ−ＩＩＩ’の断面図であり、図１０は、図８と図９に示したバックカバーを示す図であり、これは、図５〜図７に示した本出願の第２例に係るフレキシブルディスプレイ装置のバックカバーの構造を変更したものである。よって、以下の説明では、バックカバーについてのみ説明することにし、残りの同じ構成に対する重複説明は省略することにする。
【００８７】
図８〜図９を参照すると、本出願の第３例に係るフレキシブルディスプレイ装置３０のバックカバー３００は、パネル支持部３１０、側壁部３３０、および補助側壁部３４０をを含むことができる。このような本例に係るバックカバー３００は、補助側壁部３４０をさらに含むことを除いては、図５〜図７に示したバックカバー３００と同一の構成を有するので、パネル支持部３１０と側壁部３３０の重複説明は省略することにする。
【００８８】
前記補助側壁部３４０は、パネル支持部３１０の第２面３００ｂのうち一側端（ＥＡ１）と他側端（ＥＡ２）それぞれから突出する。
【００８９】
一例による側壁部３３０は、第２方向（Ｙ）に沿って長く延長された実線形態またはライン形態を有するようにパネル支持部３１０の一側端（ＥＡ１）と他側端（ＥＡ２）それぞれから突出することができる。他の例に係る側壁部３３０は、第２方向（Ｙ）に沿って一定の長さと間隔を有する点線形態を有するようにパネル支持部３１０の一側端（ＥＡ１）と他側端（ＥＡ２）それぞれから突出することができ、この場合、バックカバー３００の重量が減少し得る。
【００９０】
一例による補助側壁部３４０は、パネル支持部３１０の第1面３００ａに設けられた側壁部３３０と重畳することができる。つまり、側壁部３３０と補助側壁部３４０は、パネル支持部３１０を間に置いて互いに重畳する。ここで、補助側壁部３４０と側壁部３３０それぞれの最外郭外側面は、同じ垂直線上（ＶＬ）に位置することができる。さらに、パネル支持部３１０の最外郭外側面も補助側壁部３４０と側壁部３３０のそれぞれの最外郭外側面と同じ垂直線上（ＶＬ）に位置することができる。
【００９１】
本例に係る補助側壁部３４０は、パネル支持部３１０の第２面３００ｂに追加で配置されることで、バックカバー３００の剛性とフレキシブルディスプレイパネル１００の剛性を増加させる。また、補助側壁部３４０は、フレキシブルディスプレイパネル１００が巻物のように巻かれる時、側壁部３３０と一緒にフレキシブルディスプレイパネル１００のローリングをガイドしてフレキシブルディスプレイパネル１００の両側（または左右）のローリング偏差をさらに最小化することにより、フレキシブルディスプレイパネル１００の両側（または左右）のローリング偏差によるフレキシブルディスプレイパネル１００の中央部にシワが寄ることを防止することができる。これにより、補助側壁部３４０の高さ（Ｈ３）は、パネル支持部３１０の自重とフレキシブルディスプレイパネル１００の自重によるフレキシブルディスプレイパネル１００がたわむ時に、フレキシブルディスプレイパネル１００とパネル支持部３１０の第２面３００ｂ間の接触を防止することができる高さに設定することができる。万一、補助側壁部３４０の高さ（Ｈ３）が過度に高い場合には、フレキシブルディスプレイパネル１００のローリング時にフレキシブルディスプレイパネル１００のローリングの曲率が増加してフレキシブルディスプレイパネル１００に加わる曲げストレスが増加し得る。したがって、補助側壁部３４０の高さ（Ｈ３）は、フレキシブルディスプレイパネル１００のローリングをガイドすることができる最小限の高さを有するようにパネル支持部３１０の第２面３００bから突出することが好ましい。たとえば、補助側壁部３４０の高さ（Ｈ３）は、パネル支持部３１０を基準に、側壁部３３０の高さ（Ｈ２）より低く設定することができる。
【００９２】
このように、本出願の第３例に係るフレキシブルディスプレイ装置３０は、本出願の第２例に係るフレキシブルディスプレイ装置と同様の効果を有することができ、特に補助側壁部３４０によって、バックカバー３００の剛性を増加することができ、補助側壁部３４０のローリングガイドに沿ってフレキシブルディスプレイパネル１００をより安定的にローリングすることができる。
【００９３】
図１１は、本出願の第４例に係るフレキシブルディスプレイ装置を示す図であり、図１２は、図１１に示した線ＩＶ−ＩＶ’の断面図で、これは図８〜図１０に示した本出願の第３例に係るフレキシブルディスプレイ装置のバックカバーにおいて側壁部と補助側壁部それぞれの構造を変更したものである。よって、以下の説明では、バックカバーの側壁部と補助側壁部それぞれについてのみ説明することにし、残りの同じ構成に対する重複説明は省略することにする。
【００９４】
図１１及び図１２を参照すると、本出願の第４例に係るフレキシブルディスプレイ装置４０において、バックカバー３００の側壁部３３０と補助側壁部３４０は、パネル支持部３１０を間に挟んで互いに行違いに配置する。
【００９５】
前記補助側壁部３４０は、パネル支持部３１０の第１面３００ａに設けられた側壁部３３０と、重畳しないようにパネル支持部３１０の第２面３００ｂの一側端（ＥＡ１）と他側端（ＥＡ２）それぞれから突出する。ここで、補助側壁部３４０の最外郭外側面は、パネル支持部３１０の最外郭外側面と同じ第1垂直線（ＶＬ１）に位置することができる。一例による補助側壁部３４０は、第１方向（Ｘ）を基準に、第３の幅（Ｗ３）を有することができる。
【００９６】
前記側壁部３３０は、パネル支持部３１０の第２面３００ｂに設けられた補助側壁部３４０と重畳せずに行違いにパネル支持部３１０の第１面３００ａの一側端（ＥＡ１）と他側端（ＥＡ２）それぞれから突出している。ここで、側壁部３３０の最外郭外側面は、補助側壁部３４０の内側面と同じ第２垂直線（ＶＬ２）に位置することができる。つまり、側壁部３３０は、第１垂直線（ＶＬ１）に位置するパネル支持部３１０の最外郭外側面から補助側壁部３４０の第３幅（Ｗ３）だけパネル支持部３１０の中心部（またはフレキシブルディスプレイパネルの側面）の方に離隔することにより、垂直方向（Ｚ）に沿って補助側壁部３４０と行違いになる。一例による側壁部３３０は、第１方向（Ｘ）を基準に、フレキシブルディスプレイパネル１００の側面と接触せず、離隔することができる範囲内で補助側壁部３４０の第３幅（Ｗ３）と同じかまたは異なる第４幅（Ｗ４）を有することができる。
【００９７】
本例による側壁部３３０と補助側壁部３４０は、本出願の第３例に係るフレキシブルディスプレイ装置３０と実質的に同じ効果を提供することができる。特に、本例に係る補助側壁部３４０は、フレキシブルディスプレイパネル１００のローリング時に側壁部３３０の外側面を囲みながらフレキシブルディスプレイパネル１００のローリングをガイドすることにより、フレキシブルディスプレイパネル１００の両側（または左右）のローリング偏差をさらに最小化することができ、フレキシブルディスプレイパネル１００のローリング時にフレキシブルディスプレイパネル１００のローリングの曲率を減少させ、フレキシブルディスプレイパネル１００に加わる曲げストレスを低減させ得る。
【００９８】
一方、補助側壁部３４０の最外郭外側面は、第１垂直線（ＶＬ１）に位置し、側壁部３３０の最外郭外側面は、第２垂直線（ＶＬ２）に位置することもできる。しかし、フレキシブルディスプレイパネル１００のローリング時に外部からの物理的な衝撃によってフレキシブルディスプレイパネル１００の両側（または左右）にローリング偏差が発生した場合、補助側壁部３４０とフレキシブルディスプレイパネル１００間の物理的な接触が発生してフレキシブルディスプレイパネル１００が破損し得る。したがって、側壁部３３０の最外郭外側面は、第２垂直線（ＶＬ２）に位置し、補助側壁部３４０の最外郭外側面は、第１垂直線（ＶＬ１）に位置することが好ましい。
【００９９】
このような本出願の第４例に係るフレキシブルディスプレイ装置４０は、本出願の第３例に係るフレキシブルディスプレイ装置３０と実質的に同じ効果を有することができ、特に側壁部３３０と補助側壁部３４０を互いに行違うように配置することにより、フレキシブルディスプレイパネル１００のローリング時にフレキシブルディスプレイパネル１００のローリングの曲率が減少してフレキシブルディスプレイパネル１００に加わる曲げストレスが減少し得る。
【０１００】
図１３は、本出願の一例によるローラブルディスプレイ装置を示す図であり、図１４は、本出願の一例によるローラブルディスプレイ装置の分解斜視図であり、図１５は、図１３に示した線Ｖ−Ｖ’の断面図である。
【０１０１】
図１３〜図１５を参照すると、本出願の一例によるローラブルディスプレイ装置は、フレキシブルディスプレイ装置（１０／２０／３０／４０）、ハウジングモジュール１１００、ハウジングカバー１２００、ローラー部１３００、およびパネルローリングモジュール１４００を含むことができる。
【０１０２】
前記フレキシブルディスプレイ装置（１０／２０／３０／４０）は、図１〜図１２に示す本出願の第１〜第４例に係るフレキシブルディスプレイ装置（１０／２０／３０／４０）のいずれかを含むことができる。よって、フレキシブルディスプレイ装置（１０／２０／３０／４０）に対する重複説明は省略することにする。
【０１０３】
前記ハウジングモジュール１１００は、フレキシブルディスプレイ装置（１０／２０／３０／４０）を巻いたり、巻き戻したりするローラブルディスプレイ装置の本体ケースであって、ローラー部１３００とパネルローリングモジュール１４００を支持し、フレキシブルディスプレイ装置（１０／２０／３０／４０）のフレキシブルディスプレイパネル１００が出入りするパネル出入口１１１０を含む。
【０１０４】
前記パネル出入口１１１０は、ハウジングモジュール１１００の前面に設けられる。このようなパネル出入口１１１０は、フレキシブルディスプレイ装置（１０／２０／３０／４０）のバックカバー３００に設けられた側壁部の出入りをガイドするガイドホール１１１２を含む。前記ガイドホール１１１２は、バックカバー３００の側壁部が挿入されたり通過できるようにバックカバー３００の側壁部と同じ断面構造を有することができる。
【０１０５】
一例として、本例に係るローラブルディスプレイ装置が図１〜図４に示すフレキシブルディスプレイ装置１０を含む場合、ガイドホール１１１２は、第２方向（Ｙ）に沿ってパネル出入口１１１０の両端からハウジングモジュール１１００の背面１１００ｂ方向に突出することができ、これによってパネル出入口１１１０とガイドホール１１１２は、平面的に「└──┘」字の形態を有することができる。
【０１０６】
別の例として、本例に係るローラブルディスプレイ装置が、図５〜図７に示すフレキシブルディスプレイ装置２０を含む場合、ガイドホール１１１２は、第２方向（Ｙ）に沿ってパネル出入口１１１０の両端からハウジングモジュール１１００の前面１１００ａ方向に突出することができ、これによってパネル出入口１１１０とガイドホール１１１２は、平面的に「┌──┐」字の形態を有することができる。
【０１０７】
また別の例として、本例に係るローラブルディスプレイ装置が図８〜図１０に示すフレキシブルディスプレイ装置３０を含む場合、ガイドホール１１１２は、第２方向（Ｙ）に沿ってパネル出入口１１１０の両端からハウジングモジュール１１００の背面１１００ｂと前面１１００ａ方向のそれぞれに突出することができ、これによってパネル出入口１１１０とガイドホール１１１２は、平面的に「├──┤」字の形態を有することができる。
【０１０８】
また別の例として、本例に係るローラブルディスプレイ装置が図１１及び図１２に示すフレキシブルディスプレイ装置４０を含む場合、ガイドホール１１１２は、第２方向（Ｙ）に沿ってパネル出入口１１１０の両端からハウジングモジュール１１００の前面１１００ａ方向に突出した一対の第１スリットおよび一対の第１スリットと行違うようにハウジングモジュール１１００の背面１１００ｂ方向に突出した一対の第２スリットを含むことができ、これによってパネル出入口１１１０とガイドホール１１１２は、平面的に「└┬──┬┘」字の形態を有することができる。
【０１０９】
前記ハウジングカバー１２００は、フレキシブルディスプレイ装置（１０／２０／３０／４０）のフレキシブルディスプレイパネル１００と結合してフレキシブルディスプレイパネル１００を支持する。このようなハウジングカバー１２００は、パネルローリングモジュール１４００の駆動によってフレキシブルディスプレイパネル１００の上段を移動（または昇降）させることにより、ハウジングモジュール１１００からフレキシブルディスプレイパネル１００を外部に引き出したり、フレキシブルディスプレイパネル１００をハウジングモジュール１１００の内部に収納する。ここで、ハウジングカバー１２００は、フレキシブルディスプレイパネル１００がハウジングモジュール１１００の内部に収納されると、パネル出入口１１１０を覆う。このため、ハウジングカバー１２００は、ガイドホール１１１２を有するパネル出入口１１１０と同じ形態を有する。
【０１１０】
前記ローラー部１３００は、フレキシブルディスプレイ装置（１０／２０／３０／４０）のフレキシブルディスプレイパネル１００の他側に接続する。つまり、ローラー部１３００は、パネルの連結部材１０００によってフレキシブルディスプレイパネル１００の下部端部に連結することができる。このようなローラー部１３００は、パネルローリングモジュール１４００の駆動によってフレキシブルディスプレイパネル１００を巻いたり巻き戻したりする。
【０１１１】
一例によるローラー部１３００は、ローラー１３１０、第１ローラー支持部１３１１、第２ローラー支持部１３１２、およびローラー回転手段１３２０を含むことができる。
【０１１２】
前記ローラー１３１０は、予め設定された間隔を有するように並んで設置された第１及び第２ローラー支持部１３１１、１３１２間に回転可能に設置され、ローラー回転手段１３２０の駆動によってフレキシブルディスプレイパネル１００を巻いたり巻き戻したりする。
【０１１３】
前記ローラー１３１０の一側端に設けられた第１ローラー軸は、第１ローラー支持部１３１１に回転可能に設置され、ローラー１３１０の他側端に設けられた第２ローラー軸は、第２ローラー支持部１３１２に回転可能に設置される。ここで、第１および第２ローラー支持部１３１１、１３１２とローラー１３１０のローラー軸の間には軸受がそれぞれ介在することができる。このようなローラー１３１０は、ローラー回転手段１３２０の第１方向の回転によって第１方向に回転し、フレキシブルディスプレイパネル１００を巻き、ローラー回転手段１３２０の第１方向と反対の第２方向の回転によって第２方向に回転し、フレキシブルディスプレイパネル１００を巻き戻す。
【０１１４】
前記第１及び第２ローラー支持部１３１１、１３１２は、ローラー回転手段１３２０を支持し、ローラー１３１０の両側端を回転可能に支持する。第１及び第２ローラー支持部１３１１、１３１２は、ローラー支持台１３１３によって支持することができる。
【０１１５】
前記ローラー回転手段１３２０は、パネルローリングモジュール１４００の駆動と同期するローラー制御部の制御によって回転してローラー１３１０を回転させることで、フレキシブルディスプレイパネル１００をローラー１３１０に巻いたり巻き戻したりする。ローラー回転手段１３２０は、第１または第２ローラー支持部１３１１、１３１２に設置されてローラー１３１０のローラー軸と結合する。
【０１１６】
前記ローラー回転手段１３２０は、ローラー１３１０のローラー軸に結合したシャフトを含む。ここで、ローラー回転手段１３２０のシャフトとローラー１３１０のローラー軸の間には、回転カップリング部材を設置することができる。例えば、ローラー回転手段１３２０は、制御部のローラー制御によって、第１方向または第２方向に回転する電気モーターであり得る。
【０１１７】
選択的に、ローラー回転手段１３２０は、省略可能であり、その場合には、ローラー部１３００は、ローラー１３１０の内部に内蔵されたスパイラルスプリングを含むことができる。スパイラルスプリングはローラー１３１０の第１方向の回転によって圧縮され、圧縮復元力によってローラー１３１０を第２方向に回転させる。
【０１１８】
前記パネルローリングモジュール１４００は、フレキシブルディスプレイパネル１００がローラー１３１０に巻かれたり巻き戻されたりするようにハウジングカバー１２００を移動（または昇降）させる。たとえば、パネルローリングモジュール１４００は、ローラー制御部の制御によって、ハウジングカバー１２００を上下方向（または垂直方向（Ｚ））に昇降させることで、フレキシブルディスプレイパネル１００の上部を上下方向に昇降させる。
【０１１９】
一例によるパネルローリングモジュール１４００は、下部フレーム１４１０、少なくとも１つの折り畳みユニット１４２０、およびリンク昇降ユニット１４３０を含むことができる。
【０１２０】
前記下部フレーム１４１０は、ハウジングモジュール１１００の内部で第１水平軸方向（Ｘ）と平行にハウジングモジュール１１００の両側面にそれぞれ連結してリンク昇降ユニット１４３０を支持する。下部フレーム１４１０は、折り畳みユニット１４２０を移動可能に支持する。
【０１２１】
前記折り畳みユニット１４２０は、長さが可変できるように、互いに回転可能に連結され、互いに交差する複数のリンクを含む。前記複数のリンクは、ヒンジ部材によって連結することができる。折り畳みユニット１４２０の一側は、ハウジングカバー１２００の下面に移動可能に連結し、折り畳みユニット１４２０の他側は下部フレーム１４１０に移動可能に連結する。このような、折り畳みユニット１４２０は、ハウジングカバー１２００に結合してフレキシブルディスプレイパネル１００の上側を支持したり、フレキシブルディスプレイパネル１００の上側に結合して、リンク昇降ユニット１４３０の駆動に伴う折り畳みまたは折り畳みを広げることによってフレキシブルディスプレイパネル１００を昇降させる。
【０１２２】
前記リンク昇降ユニット１４３０は、ローラー制御部の制御によって折り畳みユニット１４２０を折り畳んだり広げたりしてハウジングカバー１２００を昇降させることで、フレキシブルディスプレイパネル１００を昇降させる。つまり、リンク昇降ユニット１４３０は、折り畳みユニット１４２０の最下位に位置したヒンジ部材を昇降させて、複数のリンクそれぞれを折り畳んだり広げたりすることで折り畳みユニット１４２０の長さを拡張したり、縮小したりする。
【０１２３】
たとえば、リンク昇降ユニット１４３０は、フレキシブルディスプレイパネル１００の巻き時、最下位ヒンジ部材を下降させて、複数のリンクそれぞれを折り畳んでハウジングカバー１２００を下降させてフレキシブルディスプレイパネル１００をローラー１３１０に巻かせる。逆に、リンク昇降ユニット１４３０は、フレキシブルディスプレイパネル１００の巻き戻し時、最下位ヒンジ部材を上昇させて複数のリンクそれぞれを広げることで、ハウジングカバー１２００を上昇させてローラー１３１０に巻かれたフレキシブルディスプレイパネル１００を垂直に立てる形態で巻き戻す。
【０１２４】
一例によるリンク昇降ユニット１４３０は、最下位のヒンジ部材に連結した昇降軸を有するエアシリンダまたは空圧シリンダーなどのシリンダー部材で構成したり、リニアモーターからなり得る。これにより、本発明は、リンク昇降ユニット１４３０を介してフレキシブルディスプレイパネル１００を容易に昇降させることができ、リンク昇降ユニット１４３０の構成を簡素化することができる。
【０１２５】
図１６は、本出願の第１例によるフレキシブルディスプレイ装置を含むローラブルディスプレイ装置においてローラーに巻かれたフレキシブルディスプレイ装置を概略的に示す断面図である。
【０１２６】
図１６を図１３〜図１５と結びつけると、本例に係るローラブルディスプレイ装置のフレキシブルディスプレイ装置１０は、パネルローリングモジュール１４００の駆動によってローラー１３１０の外周面に巻かれる。ここで、フレキシブルディスプレイ装置１０は、フレキシブルディスプレイパネル１００の背面に結合されたバックカバー３００の側壁部３３０が、パネル支持部３１０の第１面に沿って重なることにより、フレキシブルディスプレイパネル１００の厚さよりも高い側壁部３３０の高さによってフレキシブルディスプレイパネル１００の前面（または表示面）とバックカバー３００のパネル支持部３１０間の物理的な接触が防止され得、これによりフレキシブルディスプレイパネル１００の前面（または表示面）とバックカバー３００のパネル支持部３１０間の物理的な接触によって問題が発生することを防止することができる。そして、フレキシブルディスプレイ装置１０は、ハウジングモジュール１１００のパネル出入口１１１０に設けられたガイドホール１１１２によって、バックカバー３００のローリングがガイドされることによって、フレキシブルディスプレイパネル１００の両側（または左右）のローリング偏差なしにローラー１３１０の外周面に巻かれることにより、フレキシブルディスプレイパネル１００の両側（または左右）のローリング偏差による問題を回避することができる。
【０１２７】
図１７は、本出願の第２例に係るフレキシブルディスプレイ装置を含むローラブルディスプレイ装置で、ローラーに巻かれたフレキシブルディスプレイ装置を概略的に示す断面図である。
【０１２８】
図１７を図１３〜図１５と結びつると、本例に係るローラブルディスプレイ装置のフレキシブルディスプレイ装置２０は、パネルローリングモジュール１４００の駆動によってローラー１３１０の外周面に巻かれる。ここで、フレキシブルディスプレイ装置２０は、フレキシブルディスプレイパネル１００の背面に結合されたバックカバー３００の側壁部３３０がフレキシブルディスプレイパネル１００の側面を包みながら、パネル支持部３１０の第２面に沿って重ねられることにより、フレキシブルディスプレイパネル１００の厚さよりも高い側壁部３３０の高さによってフレキシブルディスプレイパネル１００の前面（または表示面）とバックカバー３００のパネル支持部３１０間の物理的な接触が防止され得、これによってフレキシブルディスプレイパネル１００の前面（または表示面）とバックカバー３００のパネル支持部３１０間の物理的な接触による問題を回避することができる。そして、フレキシブルディスプレイ装置２０は、ハウジングモジュール１１００のパネル出入口１１１０に設けられたガイドホール１１１２によって、バックカバー３００のローリングがガイドされることによって、フレキシブルディスプレイパネル１００の両側（または左右）のローリング偏差なしにローラー１３１０の外周面に巻かれることにより、フレキシブルディスプレイパネル１００の両側（または左右）のローリング偏差による問題を回避することができる。
【０１２９】
図１８は、本出願の第３例に係るフレキシブルディスプレイ装置を含むローラブルディスプレイ装置でローラーに巻かれたフレキシブルディスプレイ装置を概略的に示す断面図である。
【０１３０】
図１８を図１３〜図１５と結びつけると、本例に係るローラブルディスプレイ装置のフレキシブルディスプレイ装置３０は、パネルローリングモジュール１４００の駆動によってローラー１３１０の外周面に巻かれる。ここで、フレキシブルディスプレイ装置３０は、フレキシブルディスプレイパネル１００の背面に結合されたバックカバー３００の側壁部３３０がフレキシブルディスプレイパネル１００の側面を包みながら、パネル支持部３１０の補助側壁部３４０に重ねられることにより、フレキシブルディスプレイパネル１００の厚さよりも高い側壁部３３０の高さと補助側壁部３４０の高さによってフレキシブルディスプレイパネル１００の前面（または表示面）とバックカバー３００のパネル支持部３１０間の物理的な接触を防止することができ、これによってフレキシブルディスプレイパネル１００の前面（または表示面）とバックカバー３００のパネル支持部３１０間の物理的な接触による問題を回避することができる。そして、フレキシブルディスプレイ装置３０は、ハウジングモジュール１１００のパネル出入口１１１０に設けられたガイドホール１１１２によって、バックカバー３００のローリングがガイドされることによって、フレキシブルディスプレイパネル１００の両側（または左右）のローリング偏差なしにローラー１３１０の外周面に巻かれることによりフレキシブルディスプレイパネル１００の両側（または左右）のローリング偏差による問題を回避することができる。
【０１３１】
図１９は、本出願の第４例に係るフレキシブルディスプレイ装置を含むローラブルディスプレイ装置でローラーに巻かれたフレキシブルディスプレイ装置を概略的に示す断面図である。
【０１３２】
図１９を図１３〜図１５と結びつけると、本例に係るローラブルディスプレイ装置のフレキシブルディスプレイ装置４０は、パネルローリングモジュール１４００の駆動によってローラー１３１０の外周面に巻かれる。ここで、フレキシブルディスプレイ装置４０は、フレキシブルディスプレイパネル１００の背面に結合したバックカバー３００の側壁部３３０がフレキシブルディスプレイパネル１００の側面を包みながら、パネル支持部３１０の補助側壁部３４０と行違いに重ねられることにより、フレキシブルディスプレイパネル１００の厚さよりも高い側壁部３３０の高さと補助側壁部３４０の高さによってフレキシブルディスプレイパネル１００の前面（または表示面）とバックカバー３００のパネル支持部３１０間の物理的な接触を防止することができ、これによってフレキシブルディスプレイパネル１００の前面（または表示面）とバックカバー３００のパネル支持部３１０間の物理的な接触による問題を回避することができる。そして、フレキシブルディスプレイ装置４０は、ハウジングモジュール１１００のパネル出入口１１１０に設けられたガイドホール１１１２によって、バックカバー３００のローリングがガイドされて、バックカバー３００の側壁部３３０と補助側壁部３４０が互いに行違う形態で重なることによってフレキシブルディスプレイパネル１００の両側（または左右）のローリング偏差なしにローラー１３１０の外周面に巻かれることによりフレキシブルディスプレイパネル１００の両側（または左右）のローリング偏差による問題を回避することができる。
【０１３３】
このような本出願の一例によるローラブルディスプレイ装置は、本出願の第１〜第４例に係るフレキシブルディスプレイ装置（１０／２０／３０／４０）のいずれかを含むことにより、フレキシブルディスプレイパネル１００のローリング時にフレキシブルディスプレイパネル１００の前面（または表示面）とバックカバー３００のパネル支持部３１０間の物理的な接触による問題を回避することができ、フレキシブルディスプレイパネル１００の両側（または左右）のローリング偏差による問題を回避することができる。
【０１３４】
上述した本出願の例で説明した特徴、構造、効果などは、本出願の少なくとも１つの例に含まれ、必ずしも１つの例のみに限定されるものではない。さらに、本出願の少なくとも１つの例で例示された特徴、構造、効果などは、本出願が属する分野の通常の知識を有する者によって他の例に対しても組み合わせ、または変形して実施可能である。したがって、これらの組み合わせと変形に係る内容は、本出願の範囲に含まれるものと解釈されなければならない。
【０１３５】
以上で説明した本出願は、前述した一例及び添付の図に限定されるものではなく、本出願の技術的事項を逸脱しない範囲内で、複数の置換、変形及び変更が可能であることが、本出願が属する技術分野で通常の知識を有する者にとって明らかであろう。したがって、本出願の範囲は、後述する特許請求の範囲によって示され、特許請求の範囲の意味及び範囲そしてその等価概念から導出されるすべての変更または変形された形態が本出願の範囲に含まれるものと解釈されなければならない。
【符号の説明】
【０１３６】
１０、２０、３０、４０：フレキシブルディスプレイ装置
１００：フレキシブルディスプレイパネル
１１０：第１基板
１３０：表示部
１４０：保護層
１６０：第２基板
１７０：透光性フィルム
１８０：カバー接着部材
２００：ディスプレイ駆動回路部
３００：バックカバー
３１０：パネル支持部
３１２：開口部
３３０：側壁部
３４０：補助側壁部
３５０：コーティング層
１１００：ハウジングモジュール
１２００：ハウジングカバー
１３００：ローラー部
１３１０：ローラー
１４００：パネルローリングモジュール
１４２０：折り畳みユニット
１４３０：リンク昇降ユニット
【図１】
2019113847.tif 000003
【図２】
2019113847.tif 000004
【図３】
2019113847.tif 000005
【図４】
2019113847.tif 000006
【図５】
2019113847.tif 000007
【図６】
2019113847.tif 000008
【図７】
2019113847.tif 000009
【図８】
2019113847.tif 000010
【図９】
2019113847.tif 000011
【図１０】
2019113847.tif 000012
【図１１】
2019113847.tif 000013
【図１２】
2019113847.tif 000014
【図１３】
2019113847.tif 000015
【図１４】
2019113847.tif 000016
【図１５】
2019113847.tif 000017
【図１６】
2019113847.tif 000018
【図１７】
2019113847.tif 000019
【図１８】
2019113847.tif 000020
【図１９】
2019113847.tif 000021